(57)【要約】【課題】遮光スクリーンの巻き戻し時に、斜め縦方向の弛みに起因する折りジワが発生するのを回避できる車両用ドアサンシェードの提供を図る。【解決手段】遮光スクリーン２を巻き戻す際に、上端の保持バー４が車両前後方向に傾いたとしても、スクリーン展開面内に幅方向に所要の間隔をおいて、上，下辺部近傍に止端部７ａを持つ縦スリット７を複数条形成してあるため、これが弛み吸収部となって斜め縦方向の弛みが生じるのを回避する。従って、そのまま巻き戻しが行われても遮光スクリーン２に折りジワが発生する要因はなく、遮光スクリーン２の見栄えを損なうことはない。【選択図】図１
2014084067.tif 000002
【特許請求の範囲】
【請求項１】
ドアトリムの上端部内側に沿って格納した巻取り部から、遮光スクリーンを上方に引き出してドアウィンドウパネルの内側面を被覆可能とした車両用ドアサンシェードにおいて、
前記遮光スクリーンの前記上方に引き出した展開面内に、その上，下辺部の近傍に止端部を有する縦スリットを幅方向に所要の間隔をおいて複数条形成したことを特徴とする車両用ドアサンシェード。
【発明の詳細な説明】
【技術分野】
【０００１】
本発明は、自動車のサイドドア等に配設されて、乗員が車両側方からの太陽光の直射を遮るために用いられる車両用ドアサンシェードに関する。
【背景技術】
【０００２】
車両用ドアサンシェードは、自動車のサイドドア等におけるドアトリムの上端部の内側に巻取り格納された遮光スクリーンを、必要に応じて上方へ引き出してドアウィンドウパネルの内側面を被覆可能としたもので、例えば、特許文献１および特許文献２に開示されている。
【先行技術文献】
【特許文献】
【０００３】
【特許文献１】特開２０００−６２４６２号公報
【特許文献２】実開平５−５５２４号公報
【発明の概要】
【発明が解決しようとする課題】
【０００４】
特許文献１に開示されたドアサンシェードでは、遮光スクリーンの車両前後方向の幅寸法が大きいため、ドアウィンドウパネルの内側面に沿って展開した状態から、スクリーン上端末の保持バーを掴んで巻取り部に巻き戻す際に、保持バーが車両前後方向に傾いてしまうと遮光スクリーンに斜め縦方向に弛みが生じる。
【０００５】
この弛みが生じたまま、遮光スクリーンを巻き戻してしまうと、弛みが筋となってくせ付けされて、次回の展開使用時に見栄えを悪化してしまう。
【０００６】
このような事情から、遮光スクリーンを展開使用状態から巻き戻し格納する際には、スクリーン上端末の保持バーが車両前後方向に傾かないように注意する必要があって、使用上の安易性に欠ける不具合がある。
【０００７】
一方、特許文献２に示されるドアサンシェードにあっては、車両前後方向に幅広の遮光スクリーンに合わせて、ドアトリム上端部のスクリーン出，入口を車両前後方向に長大に形成した場合に、ドアトリム上端部の剛性低下が問題となることから、上述のスクリーン出，入口の中間部に複数のブリッジ部を設ける一方、遮光スクリーンにはこのブリッジ部を通り抜けるための複数の縦スリットを設けた構造としている。
【０００８】
このため、前述と同様に遮光スクリーンの巻き戻し格納時に、スクリーン上端末の保持バーが車両前後方向に傾くと、複数の縦スリット間で短冊状に区分されたスクリーンの側縁がブリッジ部で擦れて、この場合も斜め縦方向に弛みが生じ、これが巻き込みによって折りジワとなってくせ付けされてしまう。
【０００９】
また、上述の縦スリットは、ドアトリム上端部のスクリーン出，入口に対する遮光スクリーンの組付け上、該遮光スクリーンの上端末にまで形成される。このため、保持バーの組付け時に複数の短冊状に区分された遮光スクリーンの上端末が散け易く、隣接する短冊状スクリーンの平行度が不揃いであると、上述の不具合の発生度合いが大きくなってしまう。
【００１０】
そこで、本発明は遮光スクリーンを展開使用状態から巻き戻し格納する際に、上端末の保持バーがその長さ方向に傾いたとしても、遮光スクリーンに斜め縦方向に弛みを生じて、これが巻き込みによって折りジワとなってくせ付けされることがない車両用ドアサンシェードを提供するものである。
【課題を解決するための手段】
【００１１】
本発明の車両用ドアサンシェードは、ドアトリムの上端部内側に沿って格納した巻取り部から、遮光スクリーンを上方に引き出してドアウィンドウパネルの内側面を被覆可能とした構成を基本としている。
【００１２】
そして、前記遮光スクリーンの前記上方に引き出した展開面内に、その上，下辺部の近傍に止端部を有する縦スリットを幅方向に所要の間隔をおいて複数条形成したことを主要な特徴としている。
【発明の効果】
【００１３】
本発明によれば、遮光スクリーンを展開使用状態から巻き戻し格納する際に、上端末の保持バーがその長さ方向に傾いたとしても、スクリーン展開面内に幅方向に所要の間隔をおいて縦スリットを複数条形成してあるため、これが弛み吸収部となって斜め縦方向の弛みが生じるのを回避する。
【００１４】
従って、そのまま巻き戻しが行われても遮光スクリーンに折りジワが発生する要因はなく、遮光スクリーンの見栄えを損なうことはない。
【００１５】
また、縦スリットは遮光スクリーンの上，下辺部近傍に止端部を有していて、上，下端末が切り離されてはいないので、各スリット間に区分されたスクリーン分離部分の平行度が、上，下端末が散けることによって不揃いとなるようなこともない。
【００１６】
この結果、遮光スクリーンの上，下端末に保持バーあるいは巻取り軸を付設する際に、これらの付設部品に対して遮光スクリーンの上，下端末を整然と連結できて、組付け時の弛み発生を回避することができ、折りジワ防止対策を徹底することができる。
【図面の簡単な説明】
【００１７】
【図１】本発明の一実施形態を示す斜視図。
【発明を実施するための形態】
【００１８】
以下、本発明の一実施形態を図面と共に詳述する。
【００１９】
図１に示す本実施形態のドアサンシェード１は、自動車のサイドドア等の室内側を装飾するドアトリム１０の上端部内側に沿って車両前後方向に格納配置してある。
【００２０】
このドアサンシェード１は、遮光スクリーン２と、該遮光スクリーン２の下端末を連結した巻取り軸３と、遮光スクリーン２の上端末に取付けた保持バー４と、を備えている。
【００２１】
巻取り軸３は、その両端部が図外の軸受部に軸受けされると共に、例えば、渦巻スプリングにより一方向に回動付勢され、遮光スクリーン２をこの付勢力により巻取って上述のようにドアトリム１０の上端部内に格納するようにしている。
【００２２】
ドアトリム１０の上端部にはスクリーン出，入口１１を形成して、ここから遮光スクリーン２を引出してその上端末に上述の保持バー４を取付けてある。
【００２３】
保持バー４は、その長さ方向中央部にハンドル５を備えていると共に、該ハンドル５を中心にその前後両側部分に掛止孔６を備えている。
【００２４】
これにより、ハンドル５を把持して遮光スクリーン２をドアトリム１０のスクリーン出，入口１１から上方に引き出し、保持バー４をその掛止孔６を介してルーフサイドレール等に設けたフックに係着保持することにより、遮光スクリーン２を図外のドアウィンドウパネルの内側面を被覆した使用位置に展開保持するようにしている。
【００２５】
このようなドアサンシェード１にあっては、遮光スクリーン２の車両前後方向幅が広いため、保持バー４のハンドル５を把持して遮光スクリーン２を巻き戻し格納する際に、該保持バー４の平行度を保つことは仲々難しい。
【００２６】
このため、保持バー４が車両前後方向に傾いてしまうと、遮光スクリーン２に斜め縦方向に弛みが生じ、そのまま巻き戻してしまうとこの弛みが筋となってくせ付けされて、折りジワとなって残ってしまう。
【００２７】
そこで、本実施形態にあっては、前記遮光スクリーン２を上方の使用位置に引き出した展開面内に、その上，下辺部の近傍に止端部７ａを有する縦スリット７を、該遮光スクリーン２の幅方向（本例では車両前後方向）に所要の間隔をおいて複数条形成してある。
【００２８】
以上の構成からなる本実施形態のドアサンシェード１によれば、遮光スクリーン２を展開使用状態から巻き戻し格納する際に、上端末の保持バー４が車両前後方向に傾いたとしても、スクリーン展開面内に幅方向に所要の間隔をおいて縦スリット７を複数条形成してあるため、これが弛み吸収部となって斜め縦方向の弛みが生じるのを回避する。
【００２９】
従って、そのまま巻き戻しが行われても遮光スクリーン２に折りジワが発生する要因はなく、遮光スクリーン２の見栄えを損なうことはない。
【００３０】
また、縦スリット７は遮光スクリーン２の上，下辺部近傍に止端部７ａを有していて、上，下端末が切り離されていないので、各スリット７間に区分されたスクリーン分離部分２ａの平行度が、上，下端末が散けることによって不揃いとなるようなこともない。
【００３１】
この結果、遮光スクリーン２の上，下端末に保持バー４、あるいは巻取り軸３を付設する際に、これらの付設部品に対して遮光スクリーン２の上，下端末を整然と連結できて、折りジワ防止対策を徹底することができる。
【００３２】
図１に示す例は、遮光スクリーン２の上辺部に１０ｍｍ幅、下辺部に１５ｍｍ幅の各位置に止端部７ａを持つ縦長４８０ｍｍの縦スリット７を、車両前後方向に１４９ｍｍの等間隔で４条形成したものである。
【００３３】
因みに、この遮光スクリーン２を保持バー４をやや前傾状態で５０００回上，下動操作したところ、折りジワの発生は見られなかった。
【符号の説明】
【００３４】
１…ドアサンシェード 
２…遮光スクリーン
２ａ…スクリーン分離部分
３…巻取り軸（巻取り部）
４…保持バー
７…縦スリット
７ａ…止端部
１０…ドアトリム
１１…スクリーン出，入口
【図１】
2014084067.tif 000003